(57)【要約】【課題】蓋が外され開放されたマンホールや防火水槽の開放箇所に設置され、周囲への確実な告知性・視認性に優れ、且つ、運搬性や収納性、設置容易性といった取り扱いの簡便性にも優れた、危険箇所への注意喚起・危険回避を促すための標示体を提供する。【解決手段】折り畳み可能な骨格１０と、該骨格１０により形成される側面部２０を覆うように張られた一体の表装シート１２とを備え、三面以上の側面部２０を有すると共に上面部２２が開放され、該骨格１０が可撓性を有し、該骨格１０と表装シート１２とを一体に弾性変形させて折り畳むことが可能であり、側面部２０各面における表装シート１２の外周縁の全体若しくは所定箇所に、反射材若しくは蓄光材若しくは蛍光材による縁取り部１４が成形された手段を採る。【選択図】図１
0003221705.tif 000002
【実用新案登録請求の範囲】
【請求項１】
折り畳み可能な骨格と、該骨格により形成される側面部を覆うように張られた一体の表装シートとを備え、三面以上の側面部を有すると共に上面部が開放された標示体であって、
前記骨格が可撓性を有し、該骨格と前記表装シートとを一体に弾性変形させて折り畳むことが可能であり、
前記側面部各面における表装シート外周縁の全体若しくは所定箇所に、反射材若しくは蓄光材若しくは蛍光材による縁取り部が成形されて成ることを特徴とする危険箇所標示体。
【請求項２】
前記表装シートは、通気性を有するメッシュ素材により形成されて成ることを特徴とする請求項１に記載の危険箇所標示体。
【請求項３】
前記表装シートは、全面若しくは各面ごと単色に形成されて成ることを特徴とする請求項１又は２に記載の危険箇所標示体。
【請求項４】
前記側面部における少なくとも一の側辺所定箇所に、ハトメが形成されて成ることを特徴とする請求項１乃至３のいずれかに記載の危険箇所標示体。
【請求項５】
前記上面部における少なくとも一の隅角に、ハトメが形成されて成ることを特徴とする請求項１乃至４のいずれかに記載の危険箇所標示体。
【請求項６】
前記側面部における少なくとも一の底辺所定箇所に、錘部が形成されて成ることを特徴とする請求項１乃至５のいずれかに記載の危険箇所標示体。
【考案の詳細な説明】
【技術分野】
【０００１】
本考案は、危険箇所表示装置に関し、詳しくは、路上等の危険箇所を周囲に告知して、注意喚起・危険回避を促すための標示装置に関するものである。
【背景技術】
【０００２】
従来より、住民や消防団員が消火活動中に防火水槽へ転落し、怪我をするという事故の発生が問題となっている。各消防署においても、転落防止処置の重要性を認識し、安全対策を図るべく、対処法が模索されている。
【０００３】
転落防止処置の試みとして、例えば、蓋が外され開放されたマンホールや防火水槽の周辺にロードコーンを設置して、注意喚起を促す態様が一般的になされている。しかしながら、かかる態様は、開放箇所を覆い隠すものではなく隙間が生じてしまうため、転落防止処置としては不十分であり、他の対処法が望まれていた。
【０００４】
上記の様な他の対処法としては、開放箇所に落下防止はしごを設置したり、落下防止用の蓋を被せるなどの考案が、従来より提案されている。しかしながら、かかる落下防止はしごや落下防止用蓋の提案は、取り扱いの煩雑さやコスト面が課題となり、広く普及するまでには至っていないのが現状である。
【０００５】
本出願人は、転落防止処置として、開放箇所の識別性と周囲への確実な告知性・視認性に優れた標示装置を提供できないものかという着想の下、運搬性や収納性、設置容易性といった取り扱いの簡便性にも優れた標示体を開発し、本考案にかかる「危険箇所標示体」の提案に至るものである。
【先行技術文献】
【特許文献】
【０００６】
【特許文献１】特開２０１０−２７５８４８号公報
【特許文献２】特開２００９−２６３９１１号公報
【考案の概要】
【考案が解決しようとする課題】
【０００７】
本考案は、上記問題点に鑑み、蓋が外され開放されたマンホールや防火水槽の開放箇所に設置され、周囲への確実な告知性・視認性に優れ、且つ、運搬性や収納性、設置容易性といった取り扱いの簡便性にも優れた、危険箇所への注意喚起・危険回避を促すための標示体を提供することを課題とする。
【課題を解決するための手段】
【０００８】
上記課題を解決するため、本考案は、折り畳み可能な骨格と、該骨格により形成される側面部を覆うように張られた一体の表装シートとを備え、三面以上の側面部を有すると共に上面部が開放された標示体であって、前記骨格が可撓性を有し、該骨格と前記表装シートとを一体に弾性変形させて折り畳むことが可能であり、前記側面部各面における表装シート外周縁の全体若しくは所定箇所に、反射材若しくは蓄光材若しくは蛍光材による縁取り部が成形されて成る手段を採る。
【０００９】
また、本考案は、前記表装シートが、通気性を有するメッシュ素材により形成されて成る手段を採用し得る。
【００１０】
さらに、本考案は、前記表装シートが、全面若しくは各面ごと単色に形成されて成る手段を採用し得る。
【００１１】
またさらに、本考案は、前記側面部における少なくとも一の側辺所定箇所に、ハトメが形成されて成る手段を採用し得る。
【００１２】
さらにまた、本考案は、前記上面部における少なくとも一の隅角に、ハトメが形成されて成る手段を採用し得る。
【００１３】
そしてまた、本考案は、前記側面部における少なくとも一の底辺所定箇所に、錘部が形成されて成る手段を採用し得る。
【考案の効果】
【００１４】
本考案にかかる危険箇所標示体によれば、蓋が外され開放されたマンホールや防火水槽の開放箇所上方を被覆するように設置されるものであって、周囲への確実な告知性と視認性に優れると共に、骨格と表装シートとを一体に弾性変形させて折り畳むことが可能であることから、運搬性や収納性、設置容易性といった取り扱いの簡便性に資する、といった優れた効果を奏する。
【００１５】
また、本考案にかかる危険箇所標示体によれば、表装シートの外周縁に、反射材若しくは蓄光材若しくは蛍光材による縁取り部が成形されることで、夜間における告知性と視認性に優れた効果を発揮することができる。
【００１６】
さらに、本考案にかかる危険箇所標示体によれば、上面部が開放されていることで、風の通り道が確保されることから、強風で飛ばされることがない、といった優れた効果を奏する。
【００１７】
またさらに、本考案にかかる危険箇所標示体によれば、表装シートが通気性を有するメッシュ素材により形成されることで、側面部にも通気性による風の通り道が確保されて更なる耐風性に資すると共に、標示体内を透かし見ることが可能であり、危険箇所を視認することによる危険回避のための相乗効果を図ることが可能となる。
【００１８】
さらにまた、本考案にかかる危険箇所標示体によれば、側面部における側辺所定箇所や上面部における隅角にハトメが形成されることで、該ハトメにロープを通して、風等に飛ばされないよう周囲の物体や錘と結束することが可能である、といった優れた効果を奏する。
【００１９】
そしてまた、本考案にかかる危険箇所標示体によれば、側面部における底辺所定箇所に錘部が形成されることで、別途錘を結束することなく、そのままで強風への耐性を強化できる、といった優れた効果を奏する。
【図面の簡単な説明】
【００２０】
【図１】本考案にかかる危険箇所標示体の実施形態を示す説明図である。
【図２】本考案にかかる危険箇所標示体の使用態様を示す説明図である。
【図３】本考案にかかる危険箇所標示体の使用態様を示す説明図である。
【考案を実施するための形態】
【００２１】
本考案は、折り畳み可能な骨格１０と、該骨格１０により形成される側面部２０を覆うように張られた一体の表装シート１２とを備え、三面以上の側面部２０を有すると共に上面部２２が開放された危険箇所標示体１であって、該骨格１０が可撓性を有し、該骨格１０と該表装シート１２とを一体に弾性変形させて折り畳むことが可能であり、側面部２０の各面における表装シート１２の外周縁の全体若しくは所定箇所に、反射材若しくは蓄光材若しくは蛍光材による縁取り部１４が成形されて成ることを最大の特徴とする。
以下、本考案にかかる危険箇所標示体１の実施形態を、図面に基づいて説明する。
【００２２】
尚、本考案にかかる危険箇所標示体１は、以下に述べる実施例に限定されるものではなく、本考案の技術的思想の範囲内、すなわち同一の作用効果を発揮できる形状や寸法等の範囲内で、適宜変更することができる。
【００２３】
図1は、本考案にかかる危険箇所標示体１の実施形態を示す説明図である。また、図２及び図３は、本考案にかかる危険箇所標示体１の使用態様を示す説明図である。
本実施形態にかかる危険箇所標示体１は、折り畳み可能な骨格１０と、該骨格１０により形成される側面部２０を覆うように張られた一体の表装シート１２により形成されている。
【００２４】
本考案にかかる危険箇所標示体１は、図１に示す組み立てられた形態と、図２（ａ）に示す折り畳まれた形態との二つの形態を有する。該危険箇所標示体１は、組み立てられた形態において、三面以上の側面部２０を有すると共に上面部２２が開放され、危険箇所Ｓ上に立設されて注意喚起を促す標示体として使用することができる。また、該危険箇所標示体１は、折り畳まれた形態において、容易に持ち運ぶことができる。
【００２５】
骨格１０は、各側面部２０の周縁に配置されるもので、上面部２２や底面部と側面部２０との境界部分、並びに、隣り合う二つの側面部２０の境界部分を構成する。該骨格１０は、一の側面部周縁全体を周回するように繋がっていてもいいし、各辺ごと分断されて構成されていてもよい。このとき、四本の骨格１０が夫々アーチ型となるように構成することが考え得る。また、該骨格１０は、表装シート１２に固定され、該表装シート１２と一体的に構成されていてもよい。
【００２６】
骨格１０は、一人の作業者によって容易に折り畳むことができ、かつ容易に組み立てることができる構造を有する。具体的な折り畳み可能とする構造については、特に限定するものではないが、骨格１０は可撓性を有しており、該骨格１０と表装シート１２とを一体に弾性変形させて折り畳むことが可能となっている。かかる構造により、弾性変形させて折り畳まれた状態から、ほとんど力を加えずに、ほぼワンタッチで組み立てることが可能である。また、該骨格１０は、折り畳んだときに一人の作業者によって容易に持ち運び可能な大きさおよび重量を有して成る。
【００２７】
骨格１０が可撓性を有することで、一面乃至数面の側面部の骨格１０を内側に押し込むことにより、全体を二つ折りにすることができる。あるいは、各側面部を互いに重ね合わせるように折り畳んで、側面部一つ分の大きさにすることができる。この折り畳んだ状態から、さらに折り曲げて内側に重ね合せあるいは丸め込むなどして、さらに小さく折り畳むことができる。
【００２８】
骨格１０に用いる材料は、可撓性を持たせることが可能な任意の材料であれば足り、特に限定はなく、構造物の骨格として通常用いられる任意の材料から選択されるもので、例えば、鋼材や合成樹脂、合金などが用いられる。具体例としては、幅約０．５〜１ｃｍ、厚さ約０．５〜３ｍｍの細い鋼材が考え得る。また、骨組みは、図1上段左に示したように、四本の鋼材がそれぞれアーチ型となるように、シート材料と共に構成されていてもよい。
【００２９】
表装シート１２は、骨格１０で形成された各側面部２０を覆う一体のシートである。該表装シート１２は、骨格１０による張力によって全体が延べ拡げられ、該表装シート１２に張力が加わることにより、全体としてより強固な構造となる。該表装シート１２の材料は、引張強度に優れ、且つ、骨格１０と共に折り畳むことが可能な材料であれば足り、特に限定するものではないが、例えばナイロン、テトロンおよびポリエステル等の合成繊維シートや、その他の任意の布材などが採用可能である。
【００３０】
ところで、該表装シート１２について、通気性を有するメッシュ素材により形成されることが好適である。かかる態様を採用することで、側面部２０が通気性を有して風の通り道が確保されるため、耐風性に資することとなる。また、メッシュ素材の特性として、側面部２０から危険箇所標示体１の内側を透かし見ることも可能であり、危険箇所Ｓを視認することによる危険回避のための相乗効果を図ることも可能となる。
【００３１】
また、該表装シート１２について、全面若しくは各面ごと単色に形成される態様が考え得る。すなわち、各面ごと別々の単色に形成することで、全体としてカラフルな危険箇所標示体１となって、周囲の目を誘導して注目を集めることで、注意喚起を図ることが可能となる。あるいは、例えば危険色を表する赤や黄色などの同じ単色で全面を形成することで、危険周知の徹底を図ることも可能である。
【００３２】
側面部２０は、組み立てられた形態において、危険箇所標示体１の側面に位置する部分である。該側面部２０は、周縁に配置された骨格１０と、該骨格１０に張られた表装シート１２とにより構成されている。各側面部２０は、危険箇所標示体１の周囲を取り囲むように並んで位置する。各側面部２０の大きさ及び形状については、全面揃って同一であってもよく、あるいは各面ごと互いに異なっていてもよい。本考案にかかる危険箇所標示体１が有する側面部２０の数は、三面以上であれば特に限定されないが、好ましくは三乃至八面、より好ましくは三乃至六面、最も好ましくは四面で構成されている。
【００３３】
側面部２０において、表装シート１２の外周縁に縁取り部１４が成形されている。該縁取り部１４は、反射材若しくは蓄光材若しくは蛍光材により成形されており、投光による反射や発光、残光作用を生じる。かかる縁取り部１４は、表装シート１２における外周縁の全体に成形される態様のほか、部分的、断続的に所定箇所にのみ成形する態様も可能である。これにより、夜間における告知性と視認性に資する。
【００３４】
側面部２０において、少なくとも一の側辺２０ａにおける所定箇所に、ハトメ１６が形成された態様を採用し得る。かかる態様を採用することで、該ハトメ１６にロープＲを通して、該ロープを介して危険箇所標示体１を図２（ｂ）に示す様な周囲の物体Ｂと結束したり、あるいは、図３（ａ）に示す様に錘Ｗと結束することが可能であり、これにより危険箇所標示体１が強風に煽られても飛ばされないようにすることができる。かかるハトメ１６は、各側面部２０における全側辺２０ａに形成することも可能であり、あるいは、いずれか選択された側辺２０ａにのみ形成する態様も可能である。また、一の側辺２０ａに複数のハトメ１６を形成する態様であってもよい。側辺２０ａにおけるハトメ１６を形成する位置については特に限定はなく、上方位置や中央位置、下方位置のうちいずれの位置に形成する態様であっても構わない。
【００３５】
上面部２２は、各側面部２０の上辺２０ｂ間に形成される領域であり、表層シート１２が張られていない開放された部分である。かかる上面部２２が開放されていることで、風の通り道が確保されることから、強風で飛ばされることがなく、耐風性に資する。
【００３６】
上面部２２において、少なくとも一の隅角２２ａに、ハトメ１６が形成された態様を採用し得る。かかる態様を採用することで、該ハトメ１６にロープＲを通して、該ロープを介して危険箇所標示体１を周囲の物体Ｂと結束したり、あるいは、錘Ｗと結束することが可能であり、これにより危険箇所標示体１が強風に煽られても飛ばされないようにすることができる。また、図３（ｂ）に示す様に、該ハトメ１６に警告灯などの発光体Ｌを差し込み装備することで、周囲への警告、注意喚起を促し、特に夜間における告知性と視認性に資することとなる。尚、かかるハトメ１６は、全隅角２２ａに形成することも可能であり、あるいは、いずれか選択された隅角２２ａにのみ形成する態様も可能である。
【００３７】
ところで、図示していないが、側面部２０において、少なくとも一の底辺２０ｃにおける所定箇所に、錘部が形成された態様を採用し得る。かかる態様を採用することで、錘部の作用により危険箇所標示体１が強風に煽られても飛ばされないようにすることが可能であって、ハトメ１６に通したロープＲを介して物体Ｂや錘Ｗを結束することなく、そのままで強風への耐性を強化できる。
【００３８】
以上で構成される本実施形態にかかる危険箇所標示体１は、図２（ａ)に示す様に、折り畳まれた形態において、容易に持ち運ぶことができ、また、図２（ｂ)に示す様に、組み立てられた形態において、蓋が外され開放されたマンホールや防火水槽の開放箇所といった危険箇所Ｓ上方を被覆するように立設される。これにより、周囲への確実な告知性と視認性に優れると共に、骨格１０と表装シート１２とを一体に弾性変形させて折り畳むことが可能であることから、運搬性や収納性、設置容易性といった取り扱いの簡便性に資し、また、表装シート１２の外周縁に、反射材若しくは蓄光材若しくは蛍光材による縁取り部１４が成形されることで、夜間における告知性と視認性に優れた効果を発揮し、さららに、上面部２２が開放されていることで、風の通り道が確保されることから、強風で飛ばされることがなく、さらに、表装シート１２が通気性を有するメッシュ素材により形成されることで、側面部２０にも通気性による風の通り道が確保されて更なる耐風性に資すると共に、標示体内を透かし見ることが可能であり、危険箇所Ｓを視認することによる危険回避のための相乗効果を図ることが可能であり、さらにまた、側面部２０における側辺２０ａ所定箇所や上面部２２における隅角２２ａにハトメ１６が形成されることで、該ハトメ１６にロープＲを通して、風等に飛ばされないよう周囲の物体Ｂや錘Ｗと結束することが可能となる。
【産業上の利用可能性】
【００３９】
本考案にかかる危険箇所標示体は、蓋が外され開放されたマンホールや防火水槽の開放箇所に設置され、周囲への確実な告知性・視認性に優れ、且つ、運搬性や収納性、設置容易性といった取り扱いの簡便性にも優れ、危険箇所への注意喚起・危険回避を促すための標示体として機能するものである。したがって、本考案にかかる「危険箇所標示体」の産業上の利用可能性は極めて大であるものと思料する。
【符号の説明】
【００４０】
１    危険箇所標示体
１０    骨格
１２    表装シート体
１４    縁取り部
１６    ハトメ
２０    側面部
２０ａ  側辺
２０ｂ  上辺
２０ｃ  底辺
２２    上面部
２２ａ  隅角
Ｂ    物体
Ｌ    発光体
Ｒ    ロープ
Ｓ    危険個所
Ｗ    錘
【図１】
0003221705.tif 000003
【図２】
0003221705.tif 000004
【図３】
0003221705.tif 000005